(57)【要約】  本発明は、環境ホルモンの発生を防止する幼児用哺乳瓶に関する。特に、ミルクが内装されるガラス容器と；上記ガラス容器を保護するように、締結突起または締結溝を選択的に備えており、内側に緩衝部材が備わる左側及び右側カバー体で構成される保護カバーと；上記ガラス容器の上端に位置して、授乳の際、空気の流入を調節することができ、かつ、通気管と乳首がそれぞれ連結される空気流入パッキングと；上記空気流入パッキングをガラス容器に密着した状態で、その上部に乳首を密着させながら、保護カバーの上端に結合される固定キャップと；を含む。これによって、幼児を環境ホルモンから保護することができ、幼児が授乳の際、空気が逆流することを防止して幼児がミルクを飲んで吐くことを防止することができる。
2010523257.tif 000002
【特許請求の範囲】
【請求項１】
ミルクが内装されるガラス容器（２）と；
上記ガラス容器を保護するように、内側に緩衝部材（５０）を設け、締結突起または締結溝を選択的に備える左側及び右側カバー体で構成される保護カバー（１０）と；
上記ガラス容器の上端に位置して、授乳の際、外部空気の流入が可能になるように通気管（２１）が連結される空気流入パッキング（２０）と；
上記空気流入パッキング（２０）をガラス容器に密着した状態で、その上部に乳首（３）を密着させながら、保護カバーの上端に結合される固定キャップ（４）と；を含むことを特徴とする幼児用哺乳瓶。
【請求項２】
上記保護カバー（１０）は、ガラス容器（２）の底面に対応するように、下端部に互いに結合される基部（３０）を備えることを特徴とする請求項１に記載の幼児用哺乳瓶。
【請求項３】
上記基部（３０）は、左側及び右側カバー体の何れか一側の下端部に設けられ、かつ、結合孔（３７）が形成される中底板（３６）と；
上記中底板（３６）に連結されるクッション部材（３１）と；
上記中底板の底面に連結される底板（４０）と；を含むことを特徴とする請求項２に記載の幼児用哺乳瓶。
【請求項４】
上記基部（３０）は、上記クッション部材（３１）の底面に固定突起（３２）が形成されて、上記結合孔に連結突起（３５）を通じて結合され、上部面に連結溝（３４）が備わる連結板（３３）に支持され、上記連結板（３３）の底面から突出する連結突起（３５）によって底板（４０）が支持されることを特徴とする請求項３に記載の幼児用哺乳瓶。
【請求項５】
上記基部（３０）は、底板（４０）の中央部に連結突起（３５）が位置するように通孔（３９）が形成され、上記左側カバー体（１１）の底面に形成された嵌合溝（４３）に嵌合するように上面の一側に嵌合突起（３８）が形成され、
上記右側カバー体の底面に形成された複数の係止突起（４２）に対応するように、弾発片（４１）が形成されることを特徴とする請求項２乃至４の何れか１項に記載の幼児用哺乳瓶。
【請求項６】
上記基部（３０）は、中底板（３６）の結合孔（３７）にクッション部材（３１）の底面に形成された連結突起（３５）を嵌合し、
上記底板（４０）は、左側及び右側カバー体（１１）（１２）の下端の周縁外面に密着結合されることを特徴とする請求項２乃至４の何れか１項に記載の幼児用哺乳瓶。
【請求項７】
上記乳首（３）は、その外側に蓋（５）が結合されることを特徴とする請求項１に記載の幼児用哺乳瓶。
【請求項８】
上記空気流入パッキング（２０）は、固定キャップ（４）と保護カバー（１０）との結合部（１５）を通じて供給される空気が通気管（２１）に流入するように空気流入溝（２０′）が形成されることを特徴とする請求項１に記載の幼児用哺乳瓶。
【請求項９】
上記通気管（２１）は、伸縮性の材質からなり、底面にミルクの排出は防止しながら、空気の流入は可能にさせる空気バルブが設けられることを特徴とする請求項１に記載の幼児用哺乳瓶。
【請求項１０】
上記空気バルブは、末端に形成される空気吐出孔（１７）からミルクが流入しないように形成される複数の補強リブ（５２）と凹溝部（５１）とで構成され、上記空気吐出孔（１７）の内面は、下端は狭くて上部は広い「Ｖ」字状の傾斜面が形成されることを特徴とする請求項９に記載の幼児用哺乳瓶。
【請求項１１】
上記空気バルブは、上記通気管（２１）の下部に通気管の直径より大きいバルブ室（５５）が設けられ、その内側にバルブ開閉部材（５３）が設けられ、上記バルブ室（５５）の下端は複数の空気流入ホール（５４）が形成されていることを特徴とする請求項９に記載の幼児用哺乳瓶。
【請求項１２】
上記空気バルブは、上記通気管の下端に連結される時、ボール（２２）が内装され、空気流入孔（２３）を備えるように設置されることを特徴とする請求項９に記載の幼児用哺乳瓶。
【請求項１３】
上記空気バルブは、上記ボール（２２）が通気管（２１）を遮ることを防止するように逆流防止突起（２４′）をさらに含むことを特徴とする請求項１２に記載の幼児用哺乳瓶。
【請求項１４】
上記空気バルブは、下端部の上部を広く、下部を狭くして密着対応される空気流入孔（２３′）が形成されることを特徴とする請求項９に記載の幼児用哺乳瓶。
【発明の詳細な説明】
【技術分野】
【０００１】
技術分野
本発明はミルクを入れる容器をガラス材質で形成し、その外面にガラス容器を保護するように保護カバーを結合する構成にして、環境ホルモンから幼児を保護することができるようにするとともに、哺乳瓶の内部に通気孔を形成して、幼児に授乳の際、空気が逆流することを防止することができる幼児用哺乳瓶に関する。
【背景技術】
【０００２】
背景技術
従来の哺乳瓶は、耐熱材のプラスチック容器で、伸縮性及び弾発支持力が強く、落としても割れるなどの問題はないが、幼児に授乳の際、粉ミルクをプラスチック容器に入れた後、粉ミルクを振って混合してから授乳したり、または冷たいミルクの場合、電子レンジなどで暖めて幼児に授乳しているのが一般的な例である。
【０００３】
しかし、最近には、生活水準の向上に伴って健康に関心を持つようになり、幼児用品に対する母親の関心が高まるとともに、幼児用哺乳瓶がプラスチックで形成されているため、加熱する際、環境ホルモンが発生するという問題に敏感に反応している実情であるが、これに代替できる適当な哺乳瓶がないということが問題である。
【０００４】
このような問題を解決するための従来の方法として、先出願された大韓民国実用新案公開公報第２０００−１４１５５号のガラス哺乳瓶保護胴が開示された。
【０００５】
上記ガラス哺乳瓶保護胴は、材質が透明または半透明なプラスチックで製造され、上胴と下胴が結合し、かつ、上部が開口される一つの容器形態を有する保護胴と；上記保護胴の内部に挿入して内装させ、その材質が化学的耐久性が優れた透明なガラスで製作され、その上部が開口された容器形態のガラス哺乳瓶と；上記ガラス哺乳瓶の上部に結合されながら、その内部の下面に密着させる乳首部と；で構成されている哺乳瓶が開示された。
【０００６】
また、上記のような乳首部に空気流入管が連結される構成で形成される。
【０００７】
しかし、上記ガラス哺乳瓶は、衝撃によって破損されることを緩和させ、破損された時、ガラス破片が外部に飛散されることを防止して、ガラス哺乳瓶を安全に使用することができるという利点はあるが、ガラスからなる哺乳瓶と外面の保護胴とが密着されているため、落として衝撃を与えると割れるという問題点があった。
【０００８】
即ち、合成樹脂からなる保護胴の内部にガラス容器の哺乳瓶が収納されて密閉されることによって、破損された時、ガラス破片が飛散されることは防止することができるが、幼児に授乳の際、母親が飲ませる場合には関係ないが、幼児一人でミルクを飲む時はミルクを飲んだ後、一側に投げたり、高い所から落とした場合に、衝撃によって割れることを防止することができないので、使用者は頻繁に内部の哺乳瓶を取り替えなければならないため、経済的でない問題点があった。
【０００９】
また、哺乳瓶にミルクを入れると、ミルクが哺乳瓶の中に位置した空気流入管に入って、幼児がミルクを飲む時、空気流入管を通じて流入される空気を遮断することによって、空気が逆流されて、ミルクとともに飲まれるので、ミルクを飲んだ後、吐くという問題点があった。
【発明の概要】
【発明が解決しようとする課題】
【００１０】
発明の開示
技術的課題
本発明はこのような問題点を鑑みて提出されたもので、その目的は、ミルクを入れる容器をガラス材質に形成し、その外面にガラス容器を保護することができるように保護カバーを結合して、幼児には環境ホルモンから保護できるようにし、哺乳瓶の中に位置する通気管の末端部にミルクが流入されないように、バルブである空気吐出孔を形成して、幼児がミルクを飲む時、空気が逆流してミルクとともに飲まれることを防止することができ、哺乳瓶の内部に通気孔を形成して、幼児が授乳の際、逆流されて流入される空気によって、授乳した後、ミルクの酸化による嘔吐及び腹痛などが発生することを防止することができ、通気管を一体型の伸縮性材質で形成して、粉ミルクを哺乳瓶に入れて調製するとき、通気管がミルクを掻きまぜる際、通気管の末端部に楕円形の補強リブが備わって、ミルクと水を混合する際、水の波長によって空気吐出孔が開かれることなく、バルブの原型を保持することができる幼児用哺乳瓶を提供することにある。
【課題を解決するための手段】
【００１１】
技術的課題の解決
本発明は上記目的を達するために、ミルクが内装されるガラス容器と；上記ガラス容器を保護することができるように、締結突起または締結溝が選択的に設けられ、左側及び右側カバー体からなる保護カバーと；上記ガラス容器の上端に位置して、授乳の際、空気の流入を調節することができ、且つ通気管と乳首がそれぞれ連結される空気流入パッキングと；上記空気流入パッキングをガラス容器に密着した状態で、その上部に乳首を密着させるとともに保護カバーの上端に結合される固定キャップと；を含む幼児用哺乳瓶を提供する。
【００１２】
また、本発明はガラス容器の底面に対応し、ガラス容器に加えられる衝撃を緩和することができるように、緩衝部材が設けられる左側及び右側カバー体からなる保護カバーの下端部が互いに結合するように基部が設けられ、上記基部は、左側及び右側カバー体の何れか一側の下端部に設けられ、通孔を有する中底板と；上記中底板の通孔に結合され、且つその上部面に位置するクッション部材と；を含む幼児用哺乳瓶を提供する。
【００１３】
さらに、本発明のガラス容器は、空気流入パッキングの連結管に伸縮性の材質からなる通気管を連結し、通気管の末端の空気吐出孔はミルクが流入されないようにバルブが形成される幼児用哺乳瓶を提供する。
【発明の効果】
【００１４】
発明の効果
本発明によれば、哺乳瓶をガラス容器と保護カバー及び通気管で構成することによって、幼児がミルクを飲む時、通気管がミルクに遮られて空気が逆流することを防止し、幼児がミルクを吸い込む吸入力だけ外部の空気が通気管を通じて哺乳瓶の底部から流入されるので、ミルクを一定の圧力で吸い込むことができ、空気がミルクとともに流入されないように授乳することによって、授乳した後、腹痛及び中耳炎を防止し、口腔に無理な力を与えないので、授乳の際、乳首を吸い込む習慣によって口腔形態の変形を防止するとともに、哺乳瓶の内部に位置する通気管を伸縮性のある材質で一体型に形成することによって、ミルクに浸る部分の通気管を組立てるために手で触る必要がなく、衛生的で且つ粉ミルクを哺乳瓶に入れて水と混合する際に、通気管が混ぜる役割を果たして、ミルクと水の混合が容易になり、通気管の末端部に楕円形の補強リブが設けられて、ミルクと水を混合する際、水の波長によって空気吐出孔が開かれることなくバルブの原型を保持し、哺乳瓶をガラス材質で形成することによって、熱いミルクを飲む間に、プラスチック材質のように熱による環境ホルモンが発生しないので、幼児に健康なミルクを提供する效果がある。
【図面の簡単な説明】
【００１５】
図面の簡単な説明
【図１】図１は本発明による哺乳瓶と保護カバーの結合状態の斜視図。
【図２】図２は本発明による哺乳瓶と保護カバーの分離斜視図。
【図３】図３は本発明による哺乳瓶とカバーの結合状態の部分拡大断面図。
【図４】図４は本発明による哺乳瓶の使用状態の部分拡大断面図。
【図５】図５は本発明のカバー基部の底面分離斜視図。
【図６】図６は本発明のカバー基部の分離斜視図。
【図７】図７は本発明による哺乳瓶と保護カバーの結合状態の横断面図。
【図８】図８は本発明の左側及び右側カバー体の底面部と底板の上面を示した例示図。
【図９】図９は本発明の保護カバーの下端部の構成を示した例示図。
【図１０】図１０は本発明の他の実施形態として哺乳瓶に設置される空気流入孔の開閉状態を示した例示図。
【図１１】図１１は本発明の他の実施形態による哺乳瓶を示した斜視図。
【図１２】図１２は本発明の他の実施形態による哺乳瓶を示した分解図。
【図１３】図１３は本発明の他の実施形態による保護カバーの下端部の構成を示した例示図。
【図１４】図１４は本発明の他の一実施形態による通気管を示した要部斜視図。
【図１５】図１５は本発明の他の一実施形態による通気管を示した断面図。
【図１６】図１６は本発明の他の一実施形態による通気管を示した要部断面図。
【図１７】図１７は本発明の他の一実施形態による通気管を示した要部断面図。
【図１８】図１８は本発明の他の一実施形態による通気管を示した平面図。
【図１９】図１９は図１８によるバルブ開閉部材の上昇を示した動作状態図。
【図２０】図２０は図１８によるバルブ開閉部材の下降を示した動作状態図。
【発明を実施するための形態】
【００１６】
発明を実施するための最良の形態
以下、本発明の実施形態について説明する。
【００１７】
本発明の哺乳瓶１は、ガラス容器２と；これを保護することができるように外面に覆われる保護カバー１０と；上記ガラス容器２の上端に位置して、授乳の際、空気の流入を調節することができ、かつ、通気管２１と乳首３がそれぞれ連結される空気流入パッキング２０と；上記空気流入パッキング２０をガラス容器に密着した状態で、その上部に乳首を密着し、保護カバー１０の上端に結合される固定キャップ４との結合構造で構成される。
【００１８】
この場合、上記ガラス容器２を保護することができるように形成された保護カバー１０は、両側に締結突起１３または締結溝１４が相互対向するように設けられる左側及び右側カバー体１１、１２で構成される。
【００１９】
また、上記保護カバー１０の上部及び下部には、ガラス容器２に加えられる衝撃を緩和することができるように緩衝部材５０が設置され、上記保護カバー１０を構成する左側及び右側カバー体１１、１２の下端部には相互対応するように、少なくとも一側に中底板３６が一体に設けられる。
【００２０】
また、上記左側及び右側カバー体１１、１２の上側には、固定キャップ４とのねじ結合が可能になるように結合部１５が設けられる。
【００２１】
上記中底板３６には結合孔３７が形成され、上記中底板３６の結合孔３７にクッション部材３１が結合される。
【００２２】
そして、上記保護カバー１０を形成する左側カバー体１１の底面に嵌合溝４３と支持片４４とが形成され、右側カバー体１２の底面に複数の係止突起４２が形成されていることを特徴とする。
【００２３】
また、上記クッション部材３１は底面から突出する複数の固定突起３２で、上部に複数の連結溝３４を有し、下部に連結突起３５を有する連結板３３に結合される。
【００２４】
さらに、上記連結板３３の下部から突出する連結突起３５を通じて連結板３３が結合孔３７に結合された状態で、中央部に連結突起３５が位置するように通孔３９が形成され、同時に、上面の一側に嵌合突起３８と弾発片４１とが形成された底板４０が結合される構成からなる。
【００２５】
この場合、上記底板４０に形成される嵌合突起３８が左側カバー体１１の底面に形成された嵌合溝４２に嵌合されるように設置され、上記底板４０の弾発片４１は右側カバー体１２の底面の一側に形成された係止突起４２に対応するように設置される。
【００２６】
また、上記ガラス容器２の外面を保護する保護カバー１０の下端に固定される基部３０は、上記クッション部材３１と連結板３３及び中底板４０の結合により構成され、上記クッション部材３１は、ゴム、シリコーン、軟質の合成樹脂などのクッション部材からなり、ガラス容器２の底面に対応することによって、ガラス容器に加えられる衝撃を緩和することができる。
【００２７】
続いて、上記空気流入パッキングの通気管２１は、下端に空気流入孔２３が形成された空気バルブ２４が連結され、上記空気バルブ２４の内側にボール２２が挿入される。
【００２８】
また、上記空気バルブ２４の内側には、ボール２２の逆流を防止するように逆流防止突起２４′が設けられる。
【００２９】
一方、上記通気管２１の下部には、他の空気バルブ２４ａが装着され、上記空気バルブ２４ａは、上部が広く、下部が狭くて下端部が密着される空気流入孔２３′が形成される。
【００３０】
一方、上記通気管２１の末端には、ミルクが流入されないようにする空気吐出孔１７を有する他の空気バルブ２４が設けられる。
【００３１】
この場合、上記バルブ２４は上記通気管２１の末端に設けられる空気吐出孔１７が底面の中央で「−」字状を形成し、その外周面に複数の補強リブ５２と凹溝部５１が形成される。
【００３２】
また、上記空気吐出孔１７は、その内面が下端は狭く上部は広い「Ｖ」字状の傾斜面５６を形成して、外部の空気はガラス容器２の内部に容易に流入され、ガラス容器２の中のミルクは空気吐出孔１７の内側に流入されにくい構造となる。
【００３３】
一方、上記通気管２１は、その下部に通気管の直径より大きいバルブ室５５を備える空気バルブ２４ａを設置し、上記バルブ室５５の中にはバルブ開閉部材５３を備えて、上記バルブ室５５の下端には複数の空気流入孔５４が形成される構成となる。
【００３４】
上記のような構成の本発明を添付された図面に基づいて具体的に説明する。
【００３５】
図１は、本発明による哺乳瓶と保護カバーの結合状態の斜視図で、ガラス容器２の外面に左側カバー体１１と右側カバー体１２とで構成された保護カバー１０で結合され、上記保護カバーの下端部は基部３０で固定し、上記結合部１５に乳首３が嵌められた固定キャップ４が結合される場合、保護カバー１０の内側に位置するガラス容器２及びガラス容器に密着される空気流入パッキング２０を固定する。
【００３６】
この場合、上記保護カバー１０を構成する左側及び右側カバー体１１、１２の連結部は、締結突起１３と締結溝１４との結合によって堅固に固定される。
【００３７】
また、上記ガラス容器２の外面と保護カバー１０は、左側及び右側カバー体１１、１２の上部及び下部に形成された緩衝部材５０が、ガラス容器２の外面を支持するように形成されて、外部からの衝撃を緩和させ、ガラス容器２が破損されることを防止する。
【００３８】
上記緩衝部材５０は、シリコーン部材、軟質の合成樹脂部材、ゴム部材の何れか一つからなって、衝撃を吸収することができる材質を選ぶ。
【００３９】
図２は、本発明による哺乳瓶と保護カバーの分離斜視図で、本発明の哺乳瓶１は、消費者が必要によって、分離結合が容易で、保護カバーの分離は、まず、乳首３を有する固定キャップ４を分離した後、基部３０を分離し、左側及び右側カバー体１１、１２の連結部の締結溝１４を押すと、保護カバー１０自体の弾発によって締結突起１３が締結溝１４から取り外されて、左側カバー体１１が分離し、ガラス容器の洗浄が可能になる。
【００４０】
また、幼児に授乳するために、哺乳瓶１を使用する際には、ガラス容器２の外面に左側及び右側カバー体１１、１２が覆われるように互いに対応させた後、締結突起１３と締結溝１４を用いて保護カバー１０を結合し、この場合、上記保護カバーの下端部に基部３０を固定する。
【００４１】
また、上記基部３０は、保護カバー１０に結合される時、中底板３６は保護カバー１０の一側の右側カバー体１２の底部を形成している状態であり、中底板の上部には、クッション部材３１の固定突起３２が連結板３３の連結溝３４に嵌合され、上記連結板３３の連結突起３５は中底板３６の中央に形成された結合孔３７に嵌合されて積層される。
【００４２】
また、上記基部３０を構成する底板４０は、一側に突起面の上面の一側に形成された嵌合突起３８が左側カバー体１１の底面に形成された嵌合溝４３に嵌合された状態で、支持片４４は嵌合突起の一側端を支持して左側カバー体が外側に開かれることを防止する。
【００４３】
この場合、上記嵌合溝は、一側端部が「コ」字状に形成され、他側は「−」字状に形成されて、互いに連結された形状で、底板の嵌合突起の一側端部が嵌合溝の「コ」字状に嵌合されるようにして、保護カバーと基部が結合された状態において、左側及び右側カバー体が開かれることを防止する。
【００４４】
上記のように、基部３０と保護カバー１０が結合された後には、通気管２１が連結された空気流入パッキング２０をガラス容器２と保護カバー１０の上端に載せられるようにした後、乳首３が備えられた固定キャップ４で保護カバー１０の上端結合部１５に締結させて結合する。
【００４５】
この時、上記ガラス容器２の内側には、水と粉ミルクが収容されて混合され、上記ガラス容器２の中には、空気バルブ２４が備わっている通気管２１が連結管２５を通じてミルクが内装されたガラス容器の内部に位置するようになって、幼児に授乳することができる。
【００４６】
図３は、本発明による哺乳瓶と保護カバーの結合状態の部分拡大断面図であり、図４は、本発明による哺乳瓶の使用状態の部分拡大断面図で、ガラス容器２が保護カバー１０で保護されるように覆われ、保護カバー１０の上端部の結合部１５には、固定キャップ４が結合されて、哺乳瓶１の乳首３と、空気流入パッキング２０と、保護カバー１０とをガラス容器２の上端部に結合して、ガラス容器２の内部に内装されたミルクが外部に流出されないように密閉する。
【００４７】
この場合、上記空気流入パッキング２０の下端に連結され、空気バルブ２４を有する通気管２１は、空気流入パッキング２０の底部の連結管２５に結合されて、ガラス容器の内部に位置した状態である。
【００４８】
また、上記保護カバー１０の上端結合部１５に締結された固定キャップ４と結合部との間には、空気が流れるようにして、空気流入パッキング２０の一側に形成された空気流入溝２０′から空気が流入されて、通気管２１を通じて、空気バルブ２４の空気流入孔２３から空気が流出されるようにして、幼児が授乳の際、一定の圧力で飲むことができる。
【００４９】
これによって、本発明はガラス容器２の内部への空気流入が可能になるようにして、ミルクを飲む時、真空状態になることを空気が自然に調節することができるように、通気管を設けることによって、授乳の際、乳首を吸い込んでミルクを飲む時、逆流性の空気流入によって、幼児が嘔吐及び腹痛をすることを防止し、通気孔のない場合、幼児がミルクを飲む時、哺乳瓶の内部が真空状態になって、幼児の飲用圧が高くなって中耳炎及び口腔の形態が変形することを防止することができる。
【００５０】
また、図４のように、幼児が授乳の際、哺乳瓶１を傾けた状態でミルクを授乳する時、通気管２１の下端に形成された空気バルブ２４の中のボール２２が一側に移動しながら、空気流入孔２３が開放されて、外部の空気が流れるようにすることによって、幼児が授乳の際、ミルクが吸い込まれる圧力と幼児が口で吸い込む口腔圧力とが柔らかく調節される。
【００５１】
この場合、上記空気バルブ２４の中のボール２２は、哺乳瓶１が傾いても空気バルブ２４の中に備えられる逆流防止突起２４′によって通気管２１に漏れないように構成される。
【００５２】
また、上記ボール２２は、空気バルブ２４の中に流入する時、伸縮性のあるシリコーン素材からなるので、空気バルブ２４を無理に開けてボール２２を挿入した後、通気管２１に内装することによって、組み立てる時、ボールを空気バルブ２４の中に容易に流入することができる。
【００５３】
そして、上記哺乳瓶を直立に立てると、空気バルブ２４の中のボール２２は下端に移動して、空気流入孔２３を遮断するので、ガラス容器２の内部に残っているミルクと外部の空気が接触して変質されることを防止する。
【００５４】
図５は、本発明の保護カバーの基部の底面分離斜視図であり、図６は、本発明のカバーの基部の分離斜視図で、ガラス容器２の外面を保護する保護カバー１０の下端を固定する基部３０は、固定板３１と連結板３３及び底板４０の結合で構成される。
【００５５】
この場合、上記固定板３１は、ゴム、シリコーン、軟質の合成樹脂などのクッション部材からなり、ガラス容器２の底面に対応することによって、ガラス容器に加えられる衝撃を緩和することができる。
【００５６】
そして、上記中底板３６と底板４０は互いに対応した状態であり、クッション部材３１と連結板３３を分離結合する構成で、クッション部材３１の底面に形成された複数の固定突起３２を連結板３３の連結溝３４に結合した後、上記連結板３３に形成された連結突起３５を中底板３６の結合孔３７に嵌合することによって、下端底板４０の通孔３９との連結が可能になる。
【００５７】
また、図６のように、上記底板４０は、その中央部に通孔３９が形成されて、連結板３３の連結突起３５が嵌められる時、一側に回転させると、上記底板４０の上面の一側に形成される嵌合突起３８が左側カバー体１１の底面に形成された嵌合溝４３に結合されて、上記底板の上面の他側に形成される弾発片４１が右側カバー体の底面に形成された複数の係止突起に対応して支持される。
【００５８】
この場合、上記弾発片４１は、一側は底板４０と一体に形成され、他側は底板４０の上面に離隔するように形成されて、係止突起４２と対応するとき弾発するように形成される。
【００５９】
図７は、本発明による哺乳瓶と保護カバーの結合状態の横断面図で、哺乳瓶１のガラス容器２を包むように覆われた保護カバー１０の左側及び右側カバー体１１、１２の上部及び下部に形成された緩衝部材５０がガラス容器２の外面に対応して、外部から加えられる衝撃を１次保護カバー１０で吸収し、２次的に緩衝部材５０で完全に吸収することによって、ガラス容器２を保護することができる。
【００６０】
図８は、本発明の左側及び右側カバー体の底面部と基部の上面を示した例示図で、保護カバーを形成する左側カバー体１１の底面には嵌合溝４３が形成され、嵌合溝の一側端部には、所定の間隔で離間されて対応された支持片４４が形成されて、嵌合突起の一側端部を支持して、左側カバー体が一側に開かれることを防止する。
【００６１】
図８に示された底板上面の一点鎖線は、保護カバー１０の左側及び右側カバー体１１、１２の底面に形成された嵌合溝と係止突起を示したもので、嵌合突起と嵌合溝の結合状態及び弾発片と係止突起の結合状態を示したものである。
【００６２】
図９は、本発明の保護カバーの左側カバー１１の一側の下端部の構成を示したもので、嵌合溝と支持片及び左側カバー体の底面構造を示したものである。
【００６３】
図１０は、本発明の他の実施形態であり、哺乳瓶に設置される空気通気管の開閉状態を示した例示図で、通気管２１の下端に形成された空気バルブ２４ａの他の実施形態として、上記空気バルブ２４ａは、内部にボールを挿入せず、空気バルブ２４ａを上部を広く、下部を狭く形成して末端部に空気流入孔２３′が設けられ、扁平した形状に構成されたものである。
【００６４】
従って、幼児が授乳する時、乳首を吸い込んでミルクを飲むので、ガラス容器の底部は、ミルクが乳首側に圧力が発生しながら通気管２１の空気バルブ２４ａの空気流入孔２３′が開かれて空気が吐出され、幼児が吸わなくてミルクに引入される圧力が発生しないと、空気バルブ２４ａの末端部が密着して閉鎖されるので空気の流入を遮断する。
【００６５】
上記のように構成される本発明のガラス容器２は、以前には、取り扱う際、破損を防止するために３〜３．ｍｍの厚さに成形した保護カバーを使用することによって、１．７〜１．８ｍｍの厚さに製造しても既存のガラス哺乳瓶より重量を軽量化させることで、取り扱いが簡単、容易にした。
【００６６】
また、本発明の保護カバー１０は、左側及び右側カバー体１１、１２の上部及び下部に緩衝部材５０を設け、ガラス容器の外面と対応して接触するように、突出部を８個で形成して、ガラス容器の外面を上部の両側の４箇所及び下部の両側の４箇所で支持し、残り部分は離隔されて空間部を形成することによって、哺乳瓶を落としたり、外部から加えられる衝撃を緩和することができる。
【００６７】
図１１及び図１２は、それぞれ本発明の他の実施形態による哺乳瓶を示した斜視図及び分解図で、本発明の哺乳瓶１は、空気流入パッキング２０に連結される通気管２１の末端部には、空気バルブ２４が備えられ、上記空気バルブ２４は楕円形の補強リブが備えられて、ミルクと水を混合する時、水の波長による空気吐出孔が開かれることなく、バルブの原型を保持することができる。
【００６８】
そして、上記通気管８は環境ホルモン処理されたシリコーン、軟質の合成樹脂、軟質のゴム製の何れか一つの材質からなって、柔らかく搖れながらガラス容器の内部の粉ミルクと水を混合する作用をする。
【００６９】
図１３は、本発明の他の実施形態による保護カバーの下端部の構成を示した例示図で、右側カバー体の下端に「」」字状に形成された中底板３６の通孔３９にクッション部材３１の底面に形成された連結突起３５を嵌合すると、クッション部材３１は中底板３６の上面に結合される。
【００７０】
また、上記左側及び右側カバー体１１、１２の下端の周縁外面は、底板４０が密着結合されて保護カバー２０を締結した状態になる。
【００７１】
図１４及び図１５は、それぞれ本発明の他の一実施形態による通気管を示した要部斜視図及び断面図で、空気流入パッキング２０の底面の一側には連結管２５が下向きに突出されるように形成されて通気管２１の上端部と連結され、上記空気流入パッキング２０に形成された連結管２５は、上面の一側に形成された空気流入ホール２０′に連結されて、空気が通気管２１を通じてガラス容器２の内部に流入するように設置される。
【００７２】
この場合、上記空気流入パッキング２０に形成された空気流入ホール２０′は固定キャップ４で空気流入パッキング２０を締結しても、固定キャップ４と保護カバー１０との結合部１５が結合されたねじ山に沿って空気が空気流入ホール２０′に流入された後、通気管２１を通じて哺乳瓶の内部に流入される。
【００７３】
図１６は、本発明の他の一実施形態による通気管を示した要部断面図で、柔らかい伸縮性の材質からなる通気管２１の末端部で空気が外部から内部に流入され、ミルクは通気管の末端部を通じて内部に流入されることができないように空気バルブ２４を設置した。
【００７４】
この場合、上記通気管２１に備えられる空気バルブ２４は、楕円形に形成されて、中央部に「−」字状の空気吐出孔１７が形成され、空気吐出孔１７の外周面は複数の補強リブ５２と凹溝部５１が形成されて、バルブの役割を果たすことができる。
【００７５】
即ち、空気吐出孔１７は、外面は「−」字状に線のみを示し、内部は下端が狭く密着され、上部に向かうほど広くなる「Ｖ」字状の傾斜面５２を形成して、内部の空気は通気管２１の末端部に吐出されることができ、ミルクは空気吐出孔１７を通じて通気管２１の内部に流入されることができないようにバルブ構造を形成したのである。
【００７６】
この場合、上記空気バルブ２４に形成された補強リブ５２は、「−」字状の空気吐出孔１７の外部圧力によって開かれないようにし、凹溝部は内側に溝が形成されて、ミルクなどが凹溝部に入って、空気吐出孔がさらに閉鎖されるようにした。
【００７７】
また、内部は傾斜面が「Ｖ」字状に形成されて、幼児がミルクを吸い込む吸入力によって開かれて空気が流入されることができるようにして、幼児がミルクを飲む時、通気管２１がミルクに遮られて空気が逆流することを防止した。
【００７８】
特に、上記通気管２１は、末端部に楕円形の補強リブ５２が備わって、ミルクと水を混合する時、水の波長によって空気吐出孔１７が開かれることなく、バルブの原型を保持することができる。
【００７９】
図１７及び図１８は、それぞれ本発明の他の一実施形態による通気管を示した要部断面図及び平面図であり、図１９及び図２０は、図１８による通気管の動作状態図で、円筒状の通気管２１の下端部に通気管の直径より大きい直径でバルブ室５５を形成し、その内部にバルブ開閉部材５３を設置した。
【００８０】
この場合、上記バルブ室５５に設けられたバルブ開閉部材５３は、ガラス容器２の中のミルクに浸っている時は、バルブ開閉部材５３が浮具のように、ミルクによって滞ってバルブ室５５の上端部を遮って密閉するので、ミルクがそれ以上通気管２１に流入されないようにする。
【００８１】
また、幼児がミルクを飲むために乳首を吸うと、その吸入力でバルブ開閉部材５３がバルブ室５５の下端に位置し、この時、上記バルブ室５５の下端は複数の空気流入ホール５４が形成されて、外部の空気が通気管に流入された後、空気流入ホールを通じてガラス容器の底部に流入されるので、幼児はミルクを楽に飲むことができる。
【００８２】
そして、図１９のように、上記ガラス容器２の内部にミルクが充満していてもバルブ室５５の内部に位置するバルブ開閉部材５３がバルブ室５５の上端部を閉鎖するので、ミルクがそれ以上流入されないようにする。
【００８３】
また、図２０のように、上記バルブ開閉部材５３がバルブ室５５の下端を遮っても空気流入ホール５４の円周の長さがバルブ開閉部材５３の円周の長さよりさらに長く形成されるので、授乳の際、空気はバルブ開閉部材５３の外周面に露出された空気流入ホール５４を通じて、ガラス容器の内部に流入されて、内部のミルクを押して幼児がミルクを便利に吸い込むことができる。
【００８４】
このように構成された本発明は、哺乳瓶の中に位置する通気管２１の末端部に、ミルクが流入しないようにバルブである空気吐出孔１７を形成して、幼児がミルクを飲む時、空気が逆流して、空気とミルクを一緒に飲まれることを防止し、通気管２１を一体型の伸縮性の材質で形成して、粉ミルクを哺乳瓶で水と混合する時、通気管がミルクを混ぜる役割を果たすことができるとともに、通気管の末端部に楕円形の補強リブを設けて、ミルクと水を混合する時、水の波長によって空気吐出孔が開かれることなく、バルブの原型を保持することができる。
【００８５】
上記のような構成からなる本発明の動作を説明する。
【００８６】
図１〜図２０のように、本発明の哺乳瓶１は、結合する時、まず保護カバー１０を構成する右側カバー体１２の下端に底部を構成する中底部材３６の上面に連結板３３を嵌合する。
【００８７】
この場合、上記連結板３３の連結溝３４に固定突起３２が嵌合するように、クッション部材３１を結合させた後、連結板３３の連結突起３５が中底板３６の結合孔３７に嵌められる。
【００８８】
次に、上記中底部材３６の上面にガラス容器２を載せ、左側カバー体１２と右側カバー体１１とを対応させて結合し、上記保護カバー１０の左側及び右側カバー体１１、１２は結合する時、左側カバー体１１の締結突起１３が右側カバー体１２の締結溝１４に嵌められるようにして結合する。
【００８９】
そして、上記底板４０の嵌合突起３８が左側カバー体１１の底面に形成された嵌合溝４２に嵌合される。
【００９０】
この場合、上記底板４０の嵌合突起３８は左側カバー体１１の嵌合溝４３に嵌合された後、嵌合突起の一側端は支持片４４に支持されて一側に滞ることを防止する。
【００９１】
また、上記底板４０の弾発片４１には、右側カバー体１２の底面の一側に形成された係止突起４２が対応して係止されることによって、基部３０と保護カバー１０が結合される。
【００９２】
本発明は、底板４０の一側の外面にロック装置がロック及びアンロック（ＬＯＣＫ／ＵＮＬＯＣＫ）の文字が表記されて、底板４０を保護カバー１０の底面に対応させて一側に回すとロック及びアンロックの状態を容易に識別することができる。
【００９３】
従って、上記のような底板４０を保護カバー１０の底面に対応させた後、ロック状態側に回すと、底板４０の嵌合突起３８が左側カバー体１１の底面に形成された嵌合溝４３に引入されるとともに、右側カバー体１２の底面に形成された複数の係止突起４２が底板４０の弾発片４１に形成された凹溝に対応して固定される。
【００９４】
この場合、上記弾発片４１は弾性的に支持された状態であるので、複数の係止突起４２が弾発片に対応されるとき音を発生して、ロック及びアンロック状態が分かれるようになる。
【００９５】
上記のように、ガラス容器２の外面に保護カバー１０が結合され、上記保護カバー１０の底面に基部３０を固定した後には、空気バルブ２４を有する通気管２１をガラス容器の上端部に載置する空気流入パッキング２０に連結し、上記通気管２１は空気流入パッキング２０の底面の一側に一体に形成された連結管２５を通じて、ガラス容器の内側に位置されるように設置する。
【００９６】
上記のように、空気流入パッキング２０がガラス容器の上端部に載置させた後には、保護カバー１０の結合部１５に乳首３が結合された固定キャップ４を締結させて、哺乳瓶１を結合させる。
【００９７】
上記のように結合された哺乳瓶１のガラス容器２の外面と保護カバー１０の内面は、保護カバーの両側の上下内側に突出された緩衝部材５０によって離隔されて、外部からの衝撃がガラス容器に伝達されることを緩和させて、ガラス容器が破損されることを防止する。
【００９８】
上記乳首３は、通常の蓋５を固定キャップ４の上面に結合させて清潔を保持することができるようにするものである。
【００９９】
また、上記通気管２１の末端に備えられる空気バルブ２４は、外部の空気がガラス容器の内部に流入され、ガラス容器２の中のミルクが空気吐出孔１７に流入されることができないように構成して、ミルクを一定の圧力で吸い込むことができ、空気がミルクとともに流入されることなく授乳することによって、授乳した後、腹痛及び中耳炎を防止し、口腔に無理な力を与えないので、授乳の際、乳首を吸い込む習慣によって口腔形態の変形を防止する。
【図１】
2010523257.tif 000003
【図２】
2010523257.tif 000004
【図３】
2010523257.tif 000005
【図４】
2010523257.tif 000006
【図５】
2010523257.tif 000007
【図６】
2010523257.tif 000008
【図７】
2010523257.tif 000009
【図８】
2010523257.tif 000010
【図９】
2010523257.tif 000011
【図１０】
2010523257.tif 000012
【図１１】
2010523257.tif 000013
【図１２】
2010523257.tif 000014
【図１３】
2010523257.tif 000015
【図１４】
2010523257.tif 000016
【図１５】
2010523257.tif 000017
【図１６】
2010523257.tif 000018
【図１７】
2010523257.tif 000019
【図１８】
2010523257.tif 000020
【図１９】
2010523257.tif 000021
【図２０】
2010523257.tif 000022
【国際調査報告】
2010523257.tif 000023
2010523257.tif 000024